(57)【特許請求の範囲】
【請求項１】
内部に排水路を有する排水案内具を用いたドレン排水構造であって、
前記排水案内具は、前記排水路における排水側端部に、幅方向両側に形成された一対の切欠きと、幅方向における一対の前記切欠きどうしの間に形成された舌片と、を備え、
前記排水案内具は、前記排水側端部が建築物の排水溝に臨む状態で、且つ、前記舌片の全体が床面端縁から前記排水溝側に突出した状態で、前記建築物の床面に設置され、
一対の前記切欠きに接する状態で、上下方向に沿う案内板がそれぞれ設置され、
前記舌片が、下方に押し下げられた状態で設置されているドレン排水構造。
【請求項２】
前記排水路は、幅方向中央部から幅方向両端部に向かうに従って下方となるように傾斜する中央堰部によって一対の平行流路部に隔離可能に形成され、
一対の前記平行流路部の底部に対応する幅方向の位置に、一対の前記切欠き及びそれぞれに対応する前記案内板が設けられている請求項１に記載のドレン排水構造。
【請求項３】
一対の前記案内板と前記舌片に当接する当接部とを備える排水案内補助具を有し、
前記排水案内補助具が、一対の前記案内板における辺縁部が一対の前記切欠きにそれぞれ押し当てられた状態で、且つ、前記当接部が前記舌片の先端部を下方に押し下げた状態で、前記排水案内具に装着されている請求項１又は２に記載のドレン排水構造。
【請求項４】
内部に排水路を有するとともに、前記排水路における排水側端部に、幅方向両側に形成された一対の切欠きと、幅方向における一対の前記切欠きどうしの間に形成された舌片と、を備えた排水案内具に装着される排水案内補助具であって、
前記排水案内具に装着された装着状態で、一対の前記切欠きのそれぞれに対して辺縁部を押し当てた状態で上下方向に沿って配置される一対の案内板と、
前記装着状態で、前記舌片に当接して当該舌片の先端部を下方に押し下げる当接部と、を備える排水案内補助具。
【発明の詳細な説明】
【技術分野】
【０００１】
本発明は、内部に排水路を有する排水案内具を用いたドレン排水構造、及び、排水案内具に装着される排水案内補助具に関する。
【背景技術】
【０００２】
例えば集合住宅等の建築物において、共用廊下やベランダ等の床面に排水案内具を設置し、この排水案内具を用いて、給湯装置や空調装置等から排出されるドレン水を建築物の排水構に排水することが行われている。このような排水案内具を用いたドレン排水構造としては、例えば特開２０１０−２８６１５４号公報（特許文献１）に示されるように、排水案内具が、排水路における排水側端部が排水構に臨む状態で、且つ、排水側端部の端縁が床面端縁に沿う状態で、床面に設置されたものが知られている。
【０００３】
特許文献１に示されるようなドレン排水構造によりドレン水を排水するとき、排水されるドレン水の一部が排水側端部の端縁において表面張力で踏みとどまり残存することがある。そして、ドレン水が排水側端部の端縁に残存して放置された場合、冬季など夜間の気温が氷点下を下回る時期には残存ドレン水が氷結する可能性がある。そうすると、このドレン水の氷結物が排水案内具によるドレン水の排水を妨げる虞がある。このため、排水路における排水側端部において、ドレン水の水切れを良くすることが好ましい。
【先行技術文献】
【特許文献】
【０００４】
【特許文献１】特開２０１０−２８６１５４号公報
【発明の概要】
【発明が解決しようとする課題】
【０００５】
排水路における排水側端部においてドレン水の水切りを効率的に行わせることができるドレン排水構造、又は、そのための排水案内補助具の実現が望まれる。
【課題を解決するための手段】
【０００６】
本発明に係るドレン排水構造は、
内部に排水路を有する排水案内具を用いたドレン排水構造であって、
前記排水案内具は、前記排水路における排水側端部に、幅方向両側に形成された一対の切欠きと、幅方向における一対の前記切欠きどうしの間に形成された舌片と、を備え、
前記排水案内具は、前記排水側端部が建築物の排水溝に臨む状態で、且つ、前記舌片の全体が床面端縁から前記排水溝側に突出した状態で、前記建築物の床面に設置され、
一対の前記切欠きに接する状態で、上下方向に沿う案内板がそれぞれ設置され、
前記舌片が、下方に押し下げられた状態で設置されている。
【０００７】
この構成では、第１の固体の表面に接触する液体が、表面張力によって第２の固体の表面に拡がっていく現象（以下「濡れ浸透」と称する）を利用して、排水路を通じて排水側端部まで流れたドレン水を、案内板を伝わせて案内板から排水溝へ滴下させる。そして、発明者は、この案内板による濡れ浸透を利用するときに、全面が床面端縁から突出した状態の舌片を下方に押し下げた状態で設置して、その幅方向両側の切欠きの開口角を拡大させた状態とすると、切欠きに設置した案内板へのドレン水の濡れ浸透が促進されることを見出した。
【０００８】
つまり、この構成によれば、発明者が見出した好適な構造を採用し、切欠きに接する状態で案内板が設置されるとともに、舌片が下方に押し下げられた状態で設置されているから、切欠きから案内板への濡れ浸透が効率的に行われる。これにより、排水路を通じて排水側端部まで流れたドレン水が案内板を伝わって案内板から排水溝へ滴下するから、排水路における排水側端部においてドレン水の水切りを効率的に行わせることができる。
【０００９】
さらに、案内板を設置する際、切欠きの辺縁部により案内板の設置を案内することができ、案内板の設置を容易に行うことができる。
【００１０】
以下、本発明に係るドレン排水構造の好適な態様について説明する。但し、以下に記載する好適な態様例によって、本発明の範囲が限定される訳ではない。
【００１１】
１つの態様として、前記排水路は、幅方向中央部から幅方向両端部に向かうに従って下方となるように傾斜する中央堰部によって一対の平行流路部に隔離可能に形成され、一対の前記平行流路部の底部に対応する幅方向の位置に、一対の前記切欠き及びそれぞれに対応する前記案内板が設けられていると好適である。
【００１２】
この構成によれば、一対の平行流路部の底部に対応する幅方向の位置に、一対の切欠きとそれぞれに対応する案内板が設けられているから、平行流路部の底部に集水されるドレン水を一対の切欠きとそれぞれに対応する案内板に向かって流れさせることができる。これにより、排水路を流れるドレン水を案内板まで効率的に導くことができ、ドレン水の水切りを効率的に行わせることができる。
【００１３】
１つの態様として、一対の前記案内板と前記舌片に当接する当接部とを備える排水案内補助具を有し、前記排水案内補助具が、一対の前記案内板における辺縁部が一対の前記切欠きにそれぞれ押し当てられた状態で、且つ、前記当接部が前記舌片の先端部を下方に押し下げた状態で、前記排水案内具に装着されていると好適である。
【００１４】
この構成によれば、一対の案内板と舌片に当接する当接部とが一体となった排水案内補助具を用いて、当該排水案内補助具を排水案内具に装着するだけで、切欠きに接する状態で案内板が設置され、且つ、舌片が下方に押し下げられた状態で設置されている構造を容易に現出することができる。よって、ドレン水の水切りを簡易な手法で効率的に行うことができる。
【００１５】
本発明に係る排水案内補助具は、
内部に排水路を有するとともに、前記排水路における排水側端部に、幅方向両側に形成された一対の切欠きと、幅方向における一対の前記切欠きどうしの間に形成された舌片と、を備えた排水案内具に装着される排水案内補助具であって、
前記排水案内具に装着された装着状態で、一対の前記切欠きのそれぞれに対して辺縁部を押し当てた状態で上下方向に沿って配置される一対の案内板と、
前記装着状態で、前記舌片に当接して当該舌片の先端部を下方に押し下げる当接部と、を備える。
【００１６】
この構成によれば、一対の切欠きと切欠きどうしの間に形成された舌片とを備える排水案内具に対し、本構成の排水案内補助具を装着することにより、切欠きに接する状態で案内板が設置され、且つ、舌片が下方に押し下げられた状態で設置されている構造を容易に現出することができる。そして、そのような構造であれば、排水路における幅方向両側の切欠きの開口角が拡大された状態となるので、切欠きから案内板へのドレン水の濡れ浸透が効率的に行われる。これにより、排水路を通じて排水側端部まで流れたドレン水が案内板を伝わって案内板から排水溝へ滴下するから、排水路における排水側端部においてドレン水の水切りを効率的に行わせることができる。従って、上記の構成の排水案内補助具を用いることで、ドレン水の水切りが効率的に行われる構造を簡易な手法で実現することができる。
【図面の簡単な説明】
【００１７】
【図１】実施形態に係るドレン排水構造が組み込まれた建築物を示す斜視図
【図２】給湯装置の模式図
【図３】接続案内具の縦断面図
【図４】排水案内具の斜視図
【図５】排水案内具の断面図
【図６】排水側端部側の排水案内具の断面図
【図７】排水案内補助具の斜視図
【図８】排水案内補助具の排水案内具への装着の説明図
【図９】排水案内補助具が装着された排水案内具の断面図
【図１０】排水案内補助具が装着された排水案内具の正面図
【図１１】図１０のＸＩ−ＸＩ断面図
【図１２】図１０のＸＩＩ−ＸＩＩ断面図
【図１３】別実施形態の排水案内補助具の斜視図
【図１４】月実施形態の排水案内補助具の排水案内具への装着の説明図
【発明を実施するための形態】
【００１８】
ドレン排水構造及び排水案内補助具の実施形態について、図面を参照して説明する。本実施形態のドレン排水構造Ｓは、内部に排水路２１を有する排水案内具１を用いて実現されている。排水案内具１は、排水路２１における排水側端部Ｅ１に、幅方向Ｗの両側に形成された一対の切欠き２６と、幅方向Ｗにおける一対の切欠き２６どうしの間に形成された舌片２７と、を備える。ドレン排水構造Ｓにおいて、排水案内具１は、排水側端部Ｅ１が建築物９の排水溝９５に臨む状態で、且つ、舌片２７の全体が床面端縁９３Ａから排水溝９５側に突出した状態で、建築物９の床面９３に設置されている。そして、このドレン排水構造Ｓでは、一対の切欠き２６に接する状態で、上下方向に沿う案内板５３がそれぞれ設置され、舌片２７が、下方に押し下げられた状態で設置されている。これにより、排水路２１における排水側端部Ｅ１においてドレン水の水切りを効率的に行わせることができる。以下、本実施形態に係るドレン排水構造Ｓについて、詳細に説明する。
【００１９】
なお、以下の説明において、各部材についての「延在方向」とは、ドレン水の排水経路に沿って延びる方向を表す。この場合において、排水案内具１の延在方向をここでは特に「長手方向Ｌ」と言う。また、「幅方向Ｗ」とは、長手方向Ｌに直交する方向のうち、水路形成部材２の底面に沿う方向を表す。また、以下の説明で用いる位置や方向、寸法等に関する用語は、誤差（製造上許容され得る程度の誤差）による差異を有する状態も含む概念である。
【００２０】
図１に示すように、本実施形態のドレン排水構造Ｓは、排水案内システム１００に組み込まれて、建築物の一例としての集合住宅に設置されている。排水案内システム１００は、建築物９の共用廊下９１に面して設けられるパイプシャフト９２から、共用廊下９１の床面９３を経由して、排水溝９５までに亘って設けられる。パイプシャフト９２内に設置される給湯装置７から延出するドレン管７７と床面９３とに亘って接続案内具６が設けられ、床面９３上において接続案内具６と排水溝９５とに亘って排水案内具１が設けられる。そして、ドレン排水構造Ｓは、排水案内具１における排水溝９５側の端部である排水側端部Ｅ１に形成されている。
【００２１】
図２に示すように、給湯装置７は、第一熱交換器７１と第二熱交換器７２とバーナ７４とを備えている。第一熱交換器７１及び第二熱交換器７２は、第一熱交換器７１が第二熱交換器７２に対して下流側に位置する状態で、湯水流通路７３に設けられている。湯水流通路７３は、ループ状／非ループ状のいずれの状態に形成されていても良い。第一熱交換器７１は、バーナ７４に供給される燃料ガスの燃焼によって生じる燃焼ガスの排気顕熱を利用して、湯水流通路７３内の湯水を加熱する。第二熱交換器７２は、第一熱交換器７１との熱交換で温度が低下した燃焼ガスの排気潜熱を利用して、第一熱交換器７１よりも上流側で湯水流通路７３内の湯水を予加熱する。このように、本実施形態の給湯装置７は、燃焼ガスによる排気顕熱に加えて排気潜熱をも利用して温水を生成する潜熱回収型給湯装置として構成されている。
【００２２】
給湯装置７は、ドレン受け７５とドレンタンク７６とをさらに備えている。ドレン受け７５は、第一熱交換器７１及び第二熱交換器７２の下方に配置され、潜熱回収用の第二熱交換器７２の表面での凝縮によって生じるドレン水を受ける。ドレン受け７５にはドレンタンク７６が接続されており、ドレン受け７５にて受けられたドレン水はドレンタンク７６に貯留される。ドレンタンク７６に流入するドレン水は酸性となっているため、中和処理又は希釈処理が施されることが好ましい。その後、ドレン水は、適宜のタイミングで、給湯装置７のドレンタンク７６から延出するドレン管７７を通って排出される。
【００２３】
図１に示すように、内部に排水路２１を有する排水案内具１は、パイプシャフト９２の外部に設置されている。排水案内具１は、共用廊下９１を横断する状態で、当該共用廊下９１に設置されている。排水案内具１は、その排水側端部Ｅ１が排水溝９５に臨む状態で、共用廊下９１の床面９３に設置されている。排水案内具１の受水側端部Ｅ２（排水側端部Ｅ１とは反対側の、ドレン水を受け入れる側の端部）には、接続案内具６が接続されている。
【００２４】
図１及び図３に示すように、接続案内具６は、パイプシャフト９２内に設置された給湯装置７よりも鉛直下側において、パイプシャフト９２の内外に亘って設けられている。接続案内具６は、給湯装置７から延出するドレン管７７と、排水案内具１の受水側端部Ｅ２とを連通接続している。図３に示すように、接続案内具６は、互いに接続される第一接続案内部材６１と第二接続案内部材６５とアダプタ部材６９とを含んでいる。
【００２５】
第一接続案内部材６１、第二接続案内部材６５、及びアダプタ部材６９は、例えば、ポリ塩化ビニル樹脂、ポリエチレン樹脂、ポリエステル樹脂、エチレン−酢酸ビニル共重合樹脂等の熱可塑性樹脂；フェノール樹脂、メラミン樹脂等の熱硬化性樹脂；スチレン・ブタジエンゴム（ＳＢＲ）、クロロプレンゴム（ＣＲ）等の熱可塑性エラストマー；等で形成することができる。搬送時や施工時の取り扱いの容易性の観点からは、可撓性を有する材料（例えば、ポリ塩化ビニル樹脂、ポリエチレン樹脂、ポリエチレン樹脂とエチレン−酢酸ビニル共重合樹脂とを混合した樹脂、熱可塑性エラストマー等）が好ましい。これらの中では、一例として、軟質の塩化ビニル樹脂を好ましく用いることができる。
【００２６】
第一接続案内部材６１は、ドレン管７７の下流側端部に接続されている。第一接続案内部材６１は、上下方向に沿って配置される第一延在部６１Ａと、この第一延在部６１Ａに対して交差する方向（本例では水平方向）に沿って配置される第二延在部６１Ｂとを有する。第一延在部６１Ａの内部には、ドレン管７７との接続口から下方に延びる第一流下水路部６２が形成されている。第二延在部６１Ｂの内部には、第一流下水路部６２の下端部からパイプシャフト９２の外部に向かって水平方向に延びる水平水路部６３が形成されている。本実施形態では、水平水路部６３には、第一流下水路部６２側から排水案内具１側（第二接続案内部材６５側）に向かうに従って次第に下方となる勾配（下り勾配）が設けられている。下り勾配は、例えば１／１０〜１／２００程度（好ましくは１／１００程度）に設定されて良い。但し、そのような構成に限定されることなく、水平水路部６３に下り勾配が設けられなくても良い。
【００２７】
第二接続案内部材６５は、第一接続案内部材６１（第二延在部６１Ｂ）の下流側端部に接続されている。第一接続案内部材６１と第二接続案内部材６５とが接続された状態で、これらは全体としてクランク状の屈曲形状を呈する。第二接続案内部材６５の内部には、水平水路部６３に連通されて下方に延びる第二流下水路部６６が形成されている。本実施形態では、第二流下水路部６６の上流側領域に、上下方向に沿う誘導板６７が設置されている。誘導板６７は、そのエッジ部分が第二流下水路部６６における水平水路部６３側の壁面に接する状態で設置されている。このような誘導板６７を備えることで、第一接続案内部材６１の水平水路部６３を流れてくるドレン水を効率的に第二流下水路部６６へと導くことができる。
【００２８】
図３及び図４に示すように、アダプタ部材６９は、第二接続案内部材６５（第二流下水路部６６）の下流側端部に接続されている。また、アダプタ部材６９は、排水案内具１に接続されている。アダプタ部材６９は、給湯装置７で生じて第一接続案内部材６１及び第二接続案内部材６５の内部を通って自然流下してきたドレン水を、排水案内具１の内部の排水路２１へと円滑に導く役割を果たす。流入したドレン水は、排水路２１を通って、建築物９の排水溝９５へと排水される。
【００２９】
図４及び図５に示すように、排水案内具１は、水路形成部材２と、この水路形成部材２に対して着脱自在な蓋部材４とを備えている。水路形成部材２及び蓋部材４は、第一接続案内部材６１、第二接続案内部材６５、及びアダプタ部材６９に関して説明した各種の材料を用いて形成することができる。それらの中では、一例として、軟質の塩化ビニル樹脂を好ましく用いることができる。
【００３０】
水路形成部材２は、ドレン水を排水するための排水路２１が形成された本体部２０と、この本体部２０に対して幅方向Ｗの両側に設けられた一対のスロープ部３０とを含む。本体部２０は、排水路２１の形成部を提供する水路形成部材２の主要部分である。本体部２０には、左右対称状の排水路２１が形成されている（図５を参照）。本実施形態の排水路２１は、長手方向Ｌに沿って延びるように設けられた中央堰部２２によって、第一流路部２１Ａと第二流路部２１Ｂとに隔離可能に形成されている。本実施形態では、これらの対をなす第一流路部２１Ａ及び第二流路部２１Ｂにより、“一対の平行流路部”が構成されている。
【００３１】
中央堰部２２は、幅方向Ｗの両端部から幅方向Ｗの中央に向かうに従って次第に上方となる（言い換えれば、幅方向Ｗの中央部から幅方向Ｗの両端部に向かうに従って下方となるように傾斜する）山型状の隆起部として構成されている。この中央堰部２２により、物理的には１つの空間からなる排水路２１が、機能的には２つの流路部（第一流路部２１Ａ及び第二流路部２１Ｂ）に隔離可能となっている。排水案内具１を流れるドレン水の水量が少ない場合には、第一流路部２１Ａと第二流路部２１Ｂとは互いに独立した流路部として機能する。ドレン水の水量が規定量を超えて多くなると、ドレン水が中央堰部２２を乗り越えて移動し、第一流路部２１Ａと第二流路部２１Ｂとが一体の流路部として機能する。排水路２１（第一流路部２１Ａ及び第二流路部２１Ｂ）は、例えば１／５０〜１／２００程度（好ましくは１／１００程度）の水勾配となるように設置されている。
【００３２】
本体部２０における排水路２１の幅方向Ｗの両側には、一対の側堤部２３が形成されている。側堤部２３は、所定幅を有しつつ長手方向Ｌに沿って延びるように形成されている。蓋部材３は、この側堤部２３の上面に載置される状態で、水路形成部材２に取り付けられる。側堤部２３は、蓋部材４を載置支持するための“支持部”としても機能する。一対の側堤部２３には、被係合部２４がそれぞれ形成されている。すなわち、水路形成部材２は、排水路２１に対して幅方向Ｗの両側に設けられた一対の被係合部２４を含む。本実施形態では、被係合部２４は、側堤部２３の上面に開口しつつ長手方向Ｌ（すなわち、側堤部２３の延在方向）に沿って延びるように形成されている。被係合部２４には、蓋部材４の係合部４２が係合される。なお、係合部４２は、蓋部材４の天板部４１における幅方向Ｗの両端部に、下方に向かって突出しつつ被係合部２４に沿って延びるように形成されている。係合部４２と被係合部２４とが係合した状態で水路形成部材２に蓋部材４が装着されて、水路形成部材２に形成された排水路２１が蓋部材４で覆われる。このとき、係合部４２と被係合部２４との嵌合部によって防水機能が果たされる。
【００３３】
スロープ部３０は、全体として、本体部２０側から幅方向Ｗの外側に向かうに従って低位となるように形成されている。スロープ部３０は、床面９３との一体感が創出されやすいように、例えば１°〜１０°程度の比較的緩やかな傾斜角度で形成されている。このような傾斜角度であれば、人がその上を歩いても傾斜を感知しにくいという利点がある。また、バリアフリーにも対応可能である。本実施形態では、スロープ部３０の上面には、長手方向Ｌに沿って延びる凹凸部３１が形成されている。このような凹凸部３１を備えることで、スロープ部３０に滑り止め効果を付与することができるという利点がある。
【００３４】
次に、排水案内具１の排水側端部Ｅ１に形成されている本実施形態に係るドレン排水構造Ｓについて説明する。ドレン排水構造Ｓは排水案内具１を用いたものであり、排水側端部Ｅ１が建築物９の排水溝９５に臨む状態で建築物９の床面９３に設置された排水案内具１の排水側端部Ｅ１に排水案内補助具５が装着されて形成されている。
【００３５】
図６に示すように、排水側端部Ｅ１において、本体部２０における被係合部２４の幅方向Ｗの外側には、後述する排水案内補助具５の差込片５５が挿入される挿入孔２５が形成されている。挿入孔２５は、本体部２０の長手方向Ｌに沿って排水側端部Ｅ１から少なくとも差込片５５よりも長い長さに亘って形成されている。
【００３６】
排水案内具１における水路形成部材２の本体部２０は、排水路２１における排水側端部Ｅ１に、一対の切欠き２６と舌片２７とを備える。一対の切欠き２６は、本体部２０における排水路２１の幅方向Ｗの両側に形成されている。より具体的には、切欠き２６は、第一流路部２１Ａと第二流路部２１Ｂとに１つずつ形成されている。切欠き２６はそれぞれ、幅方向Ｗに対して垂直に（長手方向Ｌと平行に）延びる垂直辺部２６ａと、幅方向Ｗに対して斜め方向に延びる斜め辺部２６ｂとにより画定される略三角形状（本例では略直角三角形状）に形成されている。一対の切欠き２６は、左右対称に形成されている。斜め辺部２６ｂは、より詳しくは、垂直辺部２６ａよりも幅方向Ｗの中央側に形成され、排水路２１の流れ方向の下流側ほど幅方向Ｗの中央側に向かう斜め方向に延びて形成されている。なお、以下では、垂直辺部２６ａとの斜め辺部２６ｂの交点を切欠頂部２６ｃと称する。つまり、一対の切欠き２６における排水側端部Ｅ１とは長手方向Ｌの反対側の頂部を切欠頂部２６ｃと称する。そして、一対の切欠き２６の切欠頂部２６ｃは、第一流路部２１Ａの底部２１Ａａと第二流路部２１Ｂの底部２１Ｂａとにそれぞれ接続されている。これにより、第一流路部２１Ａの底部２１Ａａと第二流路部２１Ｂの底部２１Ｂａとに対応する幅方向Ｗの位置にそれぞれ切欠き２６が設けられた状態となっている。
【００３７】
舌片２７は、幅方向Ｗにおける一対の切欠き２６どうしの間に形成されている。舌片２７は、一対の切欠き２６の各斜め辺部２６ｂが台形の脚となる平面視略台形状に形成されている。このため、舌片２７は排水路２１の流れ方向の下流側ほど幅方向Ｗの長さが短くなっている。また、図８，１１，１２に示すように、排水案内具１は、この舌片２７の全体が（言い換えれば、各切欠頂部２６ｃが）床面端縁９３Ａから排水溝９５側に突出した状態で、建築物９の床面９３に設置されている。なお、床面端縁９３Ａは、床面９３における排水溝９５に臨む端縁である。
【００３８】
図７に示すように、排水案内補助具５は、その中央部に、前方に突出した突出板部５１を備える。なお、「前方」とは、排水案内補助具５が排水案内具１に装着された状態（以下、「装着状態」と称する）において排水路２１の流れ方向の上流側（本例では受水側端部Ｅ２）に向かう方向である。突出板部５１には、装着状態で舌片２７を受け入れる開口部５２が形成されている。開口部の左右（装着状態における幅方向Ｗ）両側には、開口部５２の開口面に対して垂直に且つ前方に延びる一対の案内板５３が形成されている。一対の案内板５３はそれぞれ上下方向に沿う状態に形成されている。ここで「上下方向に沿う」とは、鉛直方向に対する多少の傾斜も許容する概念である。開口部５２の上側の板部材は舌片２７に当接させる当接部５４として機能する。このように、排水案内補助具５は、その突出板部５１に、一対の案内板５３と舌片２７に当接する当接部５４とを備える。さらに、排水案内補助具５には、突出板部５１の左右（装着状態における幅方向Ｗ）両側に、挿入孔２５に対して挿入される一対の差込片５５が前方に向かって突出形成されている。
【００３９】
一対の案内板５３は、装着状態で、一対の切欠き２６のそれぞれに対して辺縁部５３ａを押し当てた状態で配置される。本実施形態では、一対の案内板５３は、一対の切欠き２６の切欠頂部２６ｃのそれぞれに対して辺縁部５３ａを押し当てた状態で配置される。このため、一対の案内板５３の間隔は、一対の切欠き２６の切欠頂部２６ｃどうしの間の間隔と略同一となっている。また、排水案内補助具５における案内板５３の左右方向の位置は、装着状態において、案内板５３の辺縁部５３ａの幅方向Ｗの位置が切欠頂部２６ｃの幅方向Ｗの位置と対応する位置となるように設計されている。なお、切欠頂部２６ｃに対して押し当てられる辺縁部５３ａは、上下方向に延びている。
【００４０】
当接部５４は、装着状態で、舌片２７に当接して当該舌片２７の先端部２７ａを下方に押し下げる。このため、当接部５４は、舌片２７と当接する下辺縁部５４ａの装着状態における上下方向の位置が、非装着状態における舌片２７の上面の上下方向の位置よりも下方となるように配置されている。また、本実施形態では、当接部５４は左右（装着状態における幅方向Ｗ）に延びる帯板状に形成されている。
【００４１】
排水案内補助具５は、例えば、鉄、クロム、ニッケル、アルミ、銅、及びこれらの少なくとも１種を含む合金等からなる金属材や、各種の樹脂材（例えば、軟質の塩化ビニル樹脂）等で形成することができる。これらの中では、一例として、ステンレスを好ましく用いることができる。
【００４２】
次に、排水案内具１への排水案内補助具５の装着について説明する。図８に示すように、排水案内補助具５の排水案内具１への装着は、本体部２０の各挿入孔２５に排水案内補助具５の差込片５５をそれぞれ差し込むことにより行う。そして、その際、舌片２７の先端部２７ａを作業者が予め下方に押し下げておき、差込片５５の差込に伴い舌片２７の先端部２７ａが開口部５２に収容されるようにしておく。そして、辺縁部５３ａが切欠頂部２６ｃに押し当てられるまで排水案内補助具５を押し込み、作業者による舌片２７の先端部２７ａの押し下げ操作を終了することで、排水案内補助具５の排水案内具１への装着が完了する。なお、案内板５３を設置する際、案内板５３が切欠き２６の垂直辺部２６ａに沿って案内板５３の辺縁部５３ａが切欠頂部２６ｃまで案内されるので、設置作業を容易に行うことができる。また、設置後は、切欠頂部２６ｃに接する状態に設置された案内板５３はその幅方向への移動が規制されるので、案内板５３の固定も容易となっている。
【００４３】
図９，１２に示すように、垂直辺部２６ａに沿って切欠頂部２６ｃまで案内された一対の案内板５３の辺縁部５３ａは、この装着状態において、一対の切欠き２６の切欠頂部２６ｃにそれぞれ押し当てられた状態となっている。即ち、装着状態において、案内板５３が切欠頂部２６ｃに接する状態で設置されている。また、このため、第一流路部２１Ａの底部２１Ａａと第二流路部２１Ｂの底部２１Ｂａとに対応する幅方向Ｗの位置に、切欠き２６とともに当該切欠き２６に対応する案内板５３が設けられた状態となっている。
【００４４】
図１０，１１に示すように、作業者により予め下方に押し下げられ、開口部５２に収容された舌片２７の先端部２７ａは、作業者がその押し下げを終了することで、装着状態において、その上面が当接部５４の下辺縁部５４ａに当接する。このとき、装着状態における下辺縁部５４ａの上下方向の位置が、非装着状態における舌片２７の上面の上下方向の位置よりも下方となる位置に設定されているため、舌片２７の上面が下辺縁部５４ａに当接することにより、当接部５４が舌片２７の先端部２７ａを下方に押し下げた状態で固定する。こうして、装着状態において、舌片２７が、下方に押し下げられた状態で設置されている。また、その結果、切欠き２６の開口角（より具体的には切欠き２６における切欠頂部２６ｃの開口角）が下方に押し広げられて拡大した状態となっている。
【００４５】
このように排水案内補助具５を排水案内具１に装着することにより、本実施形態に係るドレン排水構造Ｓが形成される。次に、このドレン排水構造Ｓにおけるドレン水の排出機構について説明する。本実施形態に係るドレン排水構造Ｓは、ドレン水の流量が少ない場合に特に有用であるため、ドレン水が第一流路部２１Ａ及び第二流路部２１Ｂの各底部２１Ａａ，２１Ｂａを伝う一筋のドレン水が流れる程度の小流量のドレン水が排水される場合について説明する。
【００４６】
ここで、ドレン排水構造Ｓのドレン水排出機構は、「濡れ浸透」という、第１の固体の表面に接触する液体が、表面張力によって第２の固体の表面に拡がっていく現象を利用して、排水路２１を通じて排水側端部Ｅ１まで流れたドレン水を、案内板５３を伝わせて案内板から排水溝９５へ滴下させる。このドレン排水構造Ｓでは、発明者が見出した、案内板５３による濡れ浸透を利用するときに、排水路２１の幅方向Ｗ両側の切欠き２６の開口角を拡大させた状態とすると、切欠き２６（本実施形態では特に切欠頂部２６ｃ）に設置した案内板５３へのドレン水の濡れ浸透が促進される、という現象をさらに利用している。
【００４７】
まず、小流量のドレン水が排水路２１を流れるとき、幅方向Ｗ中央部から幅方向Ｗ両端部に向かうに従って下方となるように傾斜する中央堰部２２によって、第一流路部２１Ａ及び第二流路部２１Ｂの各底部２１Ａａ，２１Ｂａにドレン水は集水され、各底部２１Ａａ，２１Ｂａを伝うようにドレン水が流れる。そして、各底部２１Ａａ，２１Ｂａと対応する幅方向Ｗの位置に切欠き２６と案内板５３が設けられているため、各底部２１Ａａ，２１Ｂａを伝うドレン水はやがて切欠頂部２６ｃ及び案内板５３まで至る。ここで、上記したように、ドレン排水構造Ｓにおいて、舌片２７は下方に押し下げられた状態であり、その結果、切欠き２６における切欠頂部２６ｃの開口角も下方に押し広げられて拡大した状態となっている。つまり、発明者が見出した案内板５３へのドレン水の濡れ浸透が促進される構造が、本実施形態のドレン排水構造Ｓに組み込まれている。このため、切欠頂部２６ｃまで至ったドレン水の切欠頂部２６ｃから案内板５３への濡れ浸透が効率的に行われる。そして、排水路２１を通じて排水側端部Ｅ１まで流れたドレン水が、案内板５３を伝わって案内板５３から排水溝９５へ滴下される。このようにして、排水路２１における排水側端部Ｅ１においてドレン水の水切りが効率的に行われる。
【００４８】
また、各底部２１Ａａ，２１Ｂａと対応する幅方向Ｗの位置に切欠き２６と案内板５３が設けられているので、各底部２１Ａａ，２１Ｂａに集水されたドレン水をそれぞれ切欠き２６と案内板５３とに向かって流れさせることができる。これにより、排水路２１を流れるドレン水を案内板５３まで効率的に導くことができ、ドレン水の水切りを効率的に行わせることができる。
【００４９】
一対の案内板５３と舌片２７に当接する当接部５４とが一体となった排水案内補助具５を用いるから、排水案内具１に対して排水案内補助具５を装着するだけで、切欠頂部２６ｃに接する状態で案内板５３が設置され、且つ、舌片２７が下方に押し下げられた状態で設置されている構造を容易に現出させることができる。従って、ドレン水の水切りを簡易な手法で効率的に行うことができる。
【００５０】
〔その他の実施形態〕
最後に、本発明のドレン排水構造及び排水案内補助具のその他の実施形態について説明する。なお、以下のそれぞれの実施形態で開示される構成は、矛盾が生じない限り、他の実施形態で開示される構成と組み合わせて適用することも可能である。
【００５１】
（１）上記の実施形態では、排水案内補助具５を排水案内具１に装着するとき、舌片２７の先端部２７ａが開口部５２に収容されるように、舌片２７の先端部２７ａを作業者が予め下方に押し下げる構成を例として説明した。そして、当接部５４の下辺縁部５４ａを舌片２７の上面に当接させて、舌片２７の先端部２７ａを下方に押し下げた状態で固定する構成を例として説明した。しかし、本発明の実施形態はこれに限定されない。例えば、図１３，１４に示すように、当接部５４を構成する帯板状部材における舌片２７と対向する面を、その法線ベクトルが下方を向くように傾斜させて設け、その傾斜面５４ｂを舌片２７に当接させても良い。この構成によれば、装着作業において、舌片２７の先端部２７ａを作業者が予め下方に押し下げなくとも、排水案内補助具５の取付操作（各挿入孔２５への差込片５５の差込操作）に伴い、舌片２７の先端部２７ａが傾斜面５４ｂに当接し、さらに排水案内補助具５の取付操作が進行すると、傾斜面５４ｂに当接する舌片２７の先端部２７ａが、傾斜面５４ｂに沿って下方に押し下げられていく。そして、排水案内補助具５の取付操作を完了させると、舌片２７が、当接部５４の傾斜面５４ｂによって下方に押し下げられて設置された状態となる。このように、この構成によれば、舌片２７の先端部２７ａを作業者が予め下方に押し下げることなく、排水案内補助具５を排水案内具１に装着するだけで、ワンアクションで本実施形態のドレン排水構造Ｓを実現することができる。
【００５２】
（２）上記の実施形態では、一対の案内板５３と当接部５４とを備える排水案内補助具５を用いた構成を例として説明した。しかし、本発明の実施形態はこれに限定されない。例えば、各案内板５３と当接部５４とはそれぞれ別個の部材としても良い。
【００５３】
（３）上記の実施形態では、舌片２７を下方に押し下げた状態で設置するのに当接部５４を用いた構成を例として説明した。しかし、本発明の実施形態はこれに限定されない。例えば、排水案内具１の材質次第では、当接部５４を用いることなく、排水案内具１の形成時において、舌片２７が下方に押し下げられた状態で形成する構成としても良い。
【００５４】
（４）上記の実施形態では、排水路２１が中央堰部２２によって第一流路部２１Ａと第二流路部２１Ｂとに隔離可能に形成された構成を例として説明した。しかし、そのような構成に限定されることなく、例えば排水路２１が単一の流路によって構成されても良い。この場合において、排水路２１の底面は、平坦状又はＶ字状に形成されても良いし、Ｖ字状やＵ字状、矩形状等の溝部を有するように形成されても良い。このとき、溝部に対応する幅方向Ｗの位置に、一対の切欠き２６及びそれぞれに対応する案内板５３を設けると好適である。
【００５５】
（５）上記の実施形態では、切欠き２６を略三角形状に形成し、舌片２７を略台形状に形成した構成を例として説明した。しかし、本発明の実施形態はこれに限定されず、それぞれの形状は適宜変更しても良い。
【００５６】
（６）上記の実施形態では、一対の案内板５３が、装着状態で、一対の切欠き２６の切欠頂部２６ｃのそれぞれに対して辺縁部５３ａを押し当てた状態で配置された構成を例として説明した。しかし、本発明の実施形態はこれに限定されない。一対の案内板５３が少なくとも一対の切欠き２６のいずれかの部位（垂直辺部２６ａ又は斜め辺部２６ｂの一部）に対して辺縁部５３ａを押し当てた状態で配置されていればよい。
【００５７】
（７）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００５８】
本発明は、例えば給湯装置で生じるドレン水を排水するドレン排水構造やそのための排水案内補助具に利用することができる。
【符号の説明】
【００５９】
Ｓ                   ドレン排水構造
１                   排水案内具
２１                 排水路
２１Ａ，２１Ｂ       第１流路部、第２流路部（一対の平行流路部）
２１Ａａ，２１Ｂａ   底部
２２                 中央堰部
２６                 切欠き
２７                 舌片
２７ａ               先端部
５                   排水案内補助具
５３                 案内板
５４                 当接部
５４ａ               辺縁部
９                   建築物
９３                 床面
９３Ａ               床面端縁
９５Ａ               排水溝
Ｅ１                 排水側端部
Ｗ                   幅方向
【図１】
0006492242.tif 000002
【図２】
0006492242.tif 000003
【図３】
0006492242.tif 000004
【図４】
0006492242.tif 000005
【図５】
0006492242.tif 000006
【図６】
0006492242.tif 000007
【図７】
0006492242.tif 000008
【図８】
0006492242.tif 000009
【図９】
0006492242.tif 000010
【図１０】
0006492242.tif 000011
【図１１】
0006492242.tif 000012
【図１２】
0006492242.tif 000013
【図１３】
0006492242.tif 000014
【図１４】
0006492242.tif 000015